【手続補正書】
【提出日】平成17年6月6日(2005.6.6)
【手続補正１】
【補正対象書類名】明細書
【補正対象項目名】全文
【補正方法】変更
【補正の内容】
【書類名】  明細書
【発明の名称】  携帯型電子機器
【特許請求の範囲】
【請求項１】  電池によって駆動される携帯型電子機器において、
ディスプレイパネルを有し、
上記電池が扁平な薄型電池から成り、上記ディスプレイパネルの背面に位置し、着脱可能であることを特徴とする携帯型電子機器。
【請求項２】  請求項１に記載の携帯型電子機器において、
上記薄型電池は、上記携帯型電子機器の背面を構成する支持板に取り付けたことを特徴とする携帯型電子機器。
【請求項３】  請求項２に記載の携帯型電子機器において、
上記支持板に一つまたは複数の上記薄型電池を取り付けて、薄型電池部を構成し、その薄型電池部の縁部を段状に形成し、
携帯型電子機器の筐体は、上記薄型電池部の縁部が着脱可能に嵌合する嵌合部を有して、この嵌合部と上記支持板の縁部が嵌合することで、上記薄型電池部を着脱可能とすることを特徴とする携帯型電子機器。
【請求項４】  請求項３に記載の携帯型電子機器において、
上記嵌合部は、上記携帯型電子機器の背面を構成する上記支持板を、上記背面の方向に沿ってスライドさせるガイド溝を有することを特徴とする携帯型電子機器。
【請求項５】  筐体と、
この筐体に装着されたディスプレイパネルと、
このディスプレイパネルに電力を供給する扁平な薄型電池を有すると共に、上記筐体に、上記ディスプレイパネルの背面側に位置するように、着脱可能に取り付けられた薄型電池部と
を含む表示部と、
入力部と、情報処理機能を有する制御部とを含む本体部と
を備え、
上記表示部は無線受信部を備え、
上記本体部は無線送信部を備え、
上記本体部の無線送信部から無線によって送られたデータを、上記表示部は、上記無線受信部で受信して、上記ディスプレイパネルに表示することを特徴とする携帯型電子機器。
【請求項６】  支持板と、
この支持板に、この支持板の外縁よりも所定寸法内側の領域に位置するように取り付けられた一つまたは複数の薄型電池と
を備えて、
上記支持板の縁部と上記薄型電池とで段状になっていることを特徴とする電池アッセンブリー。
【発明の詳細な説明】
【０００１】
【発明の属する技術分野】
この発明は、例えば、透過型や反射型の液晶ディスプレイ装置、有機EL（エレクトロルミネッセンス）素子や無機EL素子を含むELディスプレイ装置、LED（発光ダイオード）アレイディスプレイ装置、プラズマディスプレイ装置、および、フィールド・エミッション・ディスプレイ装置等のフラットディスプレイパネルを有する表示部を備えた携帯型電子機器に関する。
【０００２】
【従来の技術】
従来、この種の携帯型電子機器としては、筐体内に液晶ディスプレイパネルを設けると共に、上記筐体内に扁平な薄型電池を設けて、表示部を構成したものがある（特開２０００−２１５８６４）。そして、この携帯型電子機器では、上記筐体内に薄型電池を着脱不可に埋設することによって、密度の高い物体である薄型電池を筐体に搭載しても、表示部の強度を確保できるようにしている。
【０００３】
【発明が解決しようとする課題】
しかしながら、上記従来の携帯型電子機器では、上記薄型電池を筐体内に着脱不可に埋設しているため、寿命の尽きた薄型電池を交換しようとしても、薄型電池を容易に交換することができないという問題があった。一般に、薄型電池の寿命は、液晶ディスプレイパネルの寿命よりも短いため、この問題は、極めて深刻な問題であった。
【０００４】
そこで、この発明の課題は、表示部の強度を損なうことなく、薄型電池を容易に交換できる携帯型電子機器を提供することにある。
【０００５】
【課題を解決するための手段】
上記課題を解決するため、この発明の携帯型電子機器は、
電池によって駆動される携帯型電子機器において、
ディスプレイパネルを有し、
上記電池が扁平な薄型電池から成り、上記ディスプレイパネルの背面に位置し、着脱可能であることを特徴としている。
上記構成によれば、上記薄型電池を上記ディスプレイパネルの背面から
取り外して、薄型電池を容易に交換することができる。
また、上記薄型電池が上記ディスプレイパネルの背面に位置しているので、上記薄型電池が補強材の役目をして、上記ディスプレイパネルの強度を高くすることができる。
１実施形態の携帯電子機器は、表示部を備え、この表示部は、筐体と、この筐体に装着されたフラットディスプレイパネルと、扁平な薄型電池を有する薄型電池部とを含む。この薄型電池部は、上記筐体に、フラットディスプレイパネルの背面側に位置するように、着脱可能に取り付けられている。
【０００６】
ここで、上記薄型電池とは、厚さが２ｍｍから６ｍｍで、扁平な部分、つまり、平坦部の面積が１０ｃｍ２以上の電池を言う。
【０００７】
上記構成によれば、上記薄型電池を有する薄型電池部を筐体から取り外して、薄型電池を容易に交換することができる。
【０００８】
また、上記薄型電池部が筐体に着脱可能に取り付けられているので、上記筐体と薄型電池部とが相俟って、表示部の強度を高くすることができる。
【０００９】
１実施形態では、上記薄型電池は、上記携帯型電子機器の背面を構成する支持板に取り付けている。
上記実施形態によれば、上記薄型電池を支持板に取り付けているので、薄型電池の交換が容易になる。
また、上記携帯電子機器の背面を構成する支持板と、上記薄型電池とが相俟って、上記携帯電子機器の背面の強度を高くすることができる。
１実施の形態では、上記薄型電池部は、上記表示部の背面を構成する支持板を有し、この支持板に上記薄型電池を取り付けている。
【００１０】
上記薄型電池は、上記支持板に着脱可能に取り付けてもよく、あるいは、着脱不可に取り付けてもよい。
【００１１】
上記実施の形態によれば、上記薄型電池が支持板に着脱可能に取り付けられている場合は、上記薄型電池部を筐体から取り外した後、さらに、上記支持板から寿命の尽きた薄型電池を取り外して、新しい薄型電池を支持板に取り付けて、薄型電池部を筐体に取り付ける。こうすることによって、寿命の尽きた薄型電池のみを簡単に交換して、支持板を再利用することができる。一方、上記薄型電池が支持板に着脱不可に取り付けられている場合は、寿命の尽きた薄型電池を有する薄型電池部を筐体から取り外して、新しい薄型電池を有する新しい薄型電池部を筐体に取り付けて、支持板ごと薄型電池を交換する。こうすることによって、薄型電池を極めて簡単に交換することができる。
【００１２】
また、上記表示部の背面を構成する支持板と、上記筐体が相俟って、表示部の強度を高くすることができる。
【００１３】
また、１実施の形態では、上記薄型電池の平坦部は、上記支持板に密着して、上記支持板をバックアップしている。
【００１４】
上記実施の形態によれば、上記薄型電池の平坦部が、上記支持板に密着して、上記支持板をバックアップして、支持板を補強しているので、支持板が薄くても、撓みやくぼみが生じなくて、表示部の背面は十分な強度を有する。したがって、上記支持板を薄くすることができ、ひいては、上記表示部を薄型化かつ軽量化することができる。また、上記薄型電池の平坦部が、強度の高い支持板に密着して固定されているため、薄型電池は、比較的強度が弱くても、曲げ変形等が生じなくて、電源ラインと端子との電気接続等の信頼性を損ねる恐れがない。
【００１５】
また、１実施の形態では、上記支持板は略矩形であり、上記支持板に、上記薄型電池の平坦部と、制御用の回路を有する制御基板とを、上記支持板の外縁よりも内側の略矩形の領域を占めるように、密着させて取り付けている。
【００１６】
上記実施の形態によれば、上記支持板に薄型電池の平坦部および制御基板を密着させて取り付けているので、支持板を補強できて、表示部の強度を高めることができる。また、上記薄型電池の平坦部および制御基板が、強度の高い支持板に密着して固定されているため、薄型電池および制御基板は、比較的強度が弱くても、曲げ変形等が生じなくて、電源ラインと端子との電気接続等の信頼性を損ねる恐れがない。
【００１７】
また、１実施の形態では、上記制御基板の各片側に一つまたは複数の上記薄型電池を配置し、かつ、上記各薄型電池のプラス端子とマイナス端子とは、上記制御基板に向けて突出して、かつ、上記プラス端子とマイナス端子とは、上記制御基板上に設けられた電源ラインに接続されている。
【００１８】
上記実施の形態によれば、上記制御基板の各片側に配置された上記薄型電池のプラス端子とマイナス端子とは、上記制御基板に向けて突出して、かつ、上記プラス端子とマイナス端子とは、上記制御基板上に設けられた電源ラインに接続されているので、つまり、中央の上記制御基板上の電源ラインにその制御基板の両側に位置する薄型電池のプラス端子とマイナス端子を直接接続しているので、電源ラインの長さを短くでき、かつ、上記薄型電池と制御基板とを、支持板にコンパクトに実装できる。
【００１９】
また、１実施の形態では、上記筐体は、上記薄型電池部の縁部が所定方向から着脱可能に嵌合する嵌合部を有する。
【００２０】
上記実施の形態によれば、上記筐体の嵌合部に、上記薄型電池部の縁部が着脱可能に嵌合するから、上記筐体に上記薄型電池部を容易に取り付け、取り外しでいる。したがって、薄型電池の交換を容易に行うことができる。
【００２１】
１実施形態では、上記支持板に一つまたは複数の上記薄型電池を取り付けて、薄型電池部を構成し、その薄型電池部の縁部を段状に形成し、
携帯型電子機器の筐体は、上記薄型電池部の縁部が着脱可能に嵌合する嵌合部を有して、この嵌合部と上記支持板の縁部が嵌合することで、上記薄型電池部を着脱可能としている。
上記実施の形態によれば、上記段状に形成された薄型電池部の縁部が、上記筐体の嵌合部に所定方向から嵌合するから、薄型電池部は逆方向の挿入が防止されて、薄型電池部側と筐体側との接点の接続を確実にすることができる。
また、１実施の形態では、上記支持板の外縁よりも所定寸法内側の領域に、一つまたは複数の上記薄型電池を取り付けて、上記薄型電池部の縁部を上記支持板と上記薄型電池で段状に形成し、上記筐体は、上記薄型電池部の縁部が所定方向から着脱可能に嵌合する嵌合部を有し、かつ、この嵌合部は、上記表示部の背面を構成する上記支持板の縁部が嵌合する支持板嵌合部と上記薄型電池を収容する薄型電池収容部とからなる。上記支持板の形状は、矩形の他に、円形や楕円形等にすることも可能である。
【００２２】
上記実施の形態によれば、上記段状に形成された薄型電池部の縁部が、上記筐体の嵌合部に所定方向から嵌合するから、薄型電池部は逆方向の挿入が防止されて、薄型電池部側と筐体側との接点の接続を確実にすることができる。上記所定方向とは、例えば、上記表示部の背面を構成する支持板に沿う方向、または、上記背面と直交する方向、または、上記支持板に沿う方向および上記背面と直交する方向の両方向である。
【００２３】
また、１実施の形態では、上記支持板は略矩形であって、少なくとも一対の対向する縁部は段状に形成されていると共に、中央部に凹所を有し、この凹所に上記薄型電池をその薄型電池の平坦部を密着させて取り付け、上記筐体は、上記支持板の縁部の先端が着脱可能に嵌合する嵌合部を有する。
【００２４】
上記実施の形態によれば、上記支持板の中央部にある凹所に薄型電池の平坦部を密着して取り付けているので、薄型電池部の厚さを薄くすることができて、ひいては、表示部を薄くすることができる。また、上記筐体の嵌合部に、上記略矩形の支持板の段状に形成された縁部の先端が嵌合するから、上記筐体の嵌合部の厚さを、上記段状に形成された縁部の先端の厚さに応じて、薄くできて、筐体、ひいては、表示部を薄くすることができる。
【００２５】
また、１実施形態では、上記嵌合部は、上記携帯型電子機器の背面を構成する上記支持板を、上記背面の方向に沿ってスライドさせるガイド溝を有する。
上記実施の形態によれば、上記嵌合部のガイド溝が、上記携帯型電子機器の背面を構成する上記支持板を、上記背面の方向に沿ってスライドさせる。したがって、上記支持板をガイド溝に確実に取り付けて保持することができ、上記支持板、ひいては、上記薄型電池部が筐体から脱落しにくい。
また、１実施の形態では、上記嵌合部は、上記表示部の背面を構成する上記支持板を、上記背面の方向に沿ってスライドさせるガイド溝を有する。
【００２６】
上記実施の形態によれば、上記嵌合部のガイド溝が、上記表示部の背面を構成する上記支持板を、上記背面の方向に沿ってスライドさせる。したがって、上記支持板をガイド溝に確実に取り付けて保持することができ、上記支持板、ひいては、上記薄型電池部が筐体から脱落しにくい。
【００２７】
また、１実施の形態では、上記筐体と上記薄型電池部とに、デイテント機構を設けて、上記筐体と上記薄型電池部とを上記デイテント機構によって係止可能にしている。
【００２８】
上記実施の形態によれば、上記デイテント機構が、上記薄型電池部を筐体に係止する。したがって、上記薄型電池部が筐体から外れるのを防止できる。
【００２９】
また、１実施の形態では、上記筐体は、外枠と、その外枠に連結された梁部または筋交いの少なくとも一方とを有するフレーム構造体である。
【００３０】
上記実施の形態によれば、上記筐体は、外枠と、その外枠に連結された梁部または筋交いの少なくとも一方を有する。したがって、重量の大きい薄型電池部が取り付けられた状態で筐体が開閉されてその筐体に非常に大きな力がかかったときでも、あるいは、上記薄型電池部が筐体から取り外された状態でも、上記筐体は、充分な強度を有する。
【００３１】
また、１実施形態の携帯型電子機器は、
筐体と、
この筐体に装着されたディスプレイパネルと、
このディスプレイパネルに電力を供給する扁平な薄型電池を有すると共に、上記筐体に、上記ディスプレイパネルの背面側に位置するように、着脱可能に取り付けられた薄型電池部と
を含む表示部と、
入力部と、情報処理機能を有する制御部とを含む本体部と
を備え、
上記表示部は無線受信部を備え、
上記本体部は無線送信部を備え、
上記本体部の無線送信部から無線によって送られたデータを、上記表示部は、上記無線受信部で受信して、上記ディスプレイパネルに表示する。
【００３２】
上記実施の形態によれば、上記本体部の無線送信部から、データを無線によって表示部の無線受信部に送って、上記フラットディスプレイパネルにデータを表示することができる。また、上記薄型電池部に多くのあるいは大面積の薄型電池を取り付けて、電池の能力を大きくすることができるから、上記表示部に無線受信部を設けても、フラットディスプレイパネルおよび無線受信部を長期にわたって駆動することができる。
【００３３】
なお、上記無線受信部、無線送信部として、無線送受信部を用いてもよいのは勿論である。
【００３４】
また、１実施の形態では、上記フラットディスプレイパネルは入力部を兼ね、上記筐体内に、情報処理機能を有する制御部を備え、上記フラットディスプレイパネルと上記薄型電池部とは略同面積である。
【００３５】
上記実施の形態によれば、上記表示部が、入力機能と表示機能と情報処理機能とを有し、かつ、上記フラットディスプレイパネルと上記薄型電池部とが表示部の前面と背面を占めることになる。したがって、電池交換が容易で、薄い平板状のいわゆるカード型、シート型の携帯型電子機器が得られる。さらに、上記フラットディスプレイパネルと薄型電池部とが略同面積であるから、電池の容量を大きくできて、使用期間を長くできる。
【００３６】
また、この発明の薄型電池アッセンブリーは、支持板と、この支持板に、この支持板の外縁よりも所定寸法内側の領域に位置するように取り付けた一つまたは複数の薄型電池とを備えて、上記支持板の縁部と上記薄型電池とで段状になっている。この支持板の形状は、矩形の他に、円形、楕円形等であっても良い。
【００３７】
上記構成の薄型電池アッセンブリーは、上記支持板に、この支持板の外縁よりも所定寸法内側の領域に位置するように一つまたは複数の薄型電池を取り付けているので、上記支持板を補強して、支持板を薄くすることができて、薄型化を達成できる。また、上記薄型電池が、強度の高い支持板に取り付けられているため、薄型電池は、比較的強度が弱くても、曲げ変形等が生じなくて、電源ラインと端子との電気接続等の信頼性を損ねる恐れがない。
また、この薄型電池アッセンブリーは、上記支持板の縁部と上記薄型電池とで段状になっているので、この段状の部分を筐体に嵌合するようにすると、この薄型電池アッセンブリーの筐体への着脱が一方向または二方向からでき、着脱が容易になる。また、この薄型電池アッセンブリーを用いると、携帯型電子機器の電池交換が容易になる。
【００３８】
また、この発明の薄型電池アッセンブリーは、少なくとも一対の対向する縁部は段状に形成されていると共に、中央部に凹所を有する略矩形の支持板と、この支持板の凹所に平坦部を密着させて取り付けられた薄型電池とを備える。
【００３９】
上記構成の薄型電池アッセンブリーでは、上記支持板に設けた凹所に薄型電池の平坦部を密着させて取り付けているので、上記支持板を補強して、支持板を薄くすることができて、薄型化を達成できる。また、上記薄型電池の平坦部が、強度の高い支持板に密着して固定されているため、薄型電池は、比較的強度が弱くても、曲げ変形等が生じなくて、電源ラインと端子との電気接続等の信頼性を損ねる恐れがない。
また、上記略矩形の支持板の対向する縁部を段状に形成しているから、この縁部の先端を筐体のガイド溝に嵌合するようにすると、このガイド溝の幅を狭くすることができて、筐体の厚さを薄くすることができる。また、この薄型電池アッセンブリーを用いると、携帯型電子機器の電池交換が容易になる。
【００４０】
また、１実施の形態では、上記支持板に、制御用の回路を有する制御基板を取り付け、上記制御基板の各片側に一つまたは複数の上記薄型電池を配置し、かつ、上記各薄型電池のプラス端子とマイナス端子とは、上記制御基板に向けて突出し、かつ、上記プラス端子とマイナス端子とは、上記制御基板上に設けられた電源ラインに接続されている。
【００４１】
上記実施の形態によれば、上記制御基板の各片側に配置された上記薄型電池のプラス端子とマイナス端子とは、上記制御基板に向けて突出して、かつ、上記プラス端子とマイナス端子とは、上記制御基板上に設けられた電源ラインに接続されているので、つまり、中央に位置する上記制御基板上の電源ラインにその制御基板の両側に位置する薄型電池のプラス端子とマイナス端子を直接接続しているので、電源ラインの長さを短くでき、かつ、上記薄型電池と制御基板とを、支持板にコンパクトに実装できる。
【００４２】
また、１実施の形態では、上記薄型電池と制御基板との上を、保護フィルムで覆って、薄型電池および制御基板を水分やほこり等から保護している。
【００４３】
なお、この明細書で、携帯型電子機器とは、ノートパソコン、ＰＤＡ（携帯情報端末）、メール端末、電子辞書等の携帯型情報機器、または、パーソナルＤＶＤ（ディジタル  バーサタイル  ディスク）装置、ビデオカメラ等の携帯型ＡＶ（Audio Visual）機器、または、携帯電話等の携帯型通信機器等を言う。
【００４４】
【発明の実施の形態】
以下、この発明を図示の実施の形態により詳細に説明する。
【００４５】
図１に示すように、この実施の形態の携帯型電子機器としての携帯型情報機器１００は、例えば、ノートパソコン、携帯情報端末、メール端末、電子辞書等であって、表示部１１１と本体部１１２からなり、上記表示部１１１は本体部１１２にヒンジ部１３３で開閉可能に取り付けている。上記本体部１１２は、キーボード１４０および図示しないマザーボード基板を有する。一方、上記表示部１１１は、フラットディスプレイパネルの一例としての液晶ディスプレイパネル１３０と筐体１３１と薄型電池部１２１とからなる。上記筐体１３１には、上記液晶ディスプレイパネル１３０を前面側に位置するように取り付けると共に、上記薄型電池部１２１を液晶ディスプレイパネル１３０の背面側に位置するように取り付けている。上記薄型電池部１２１は、筐体１３１に設けた嵌合部１３２に着脱可能に嵌合している。上記薄型電池部１２１は、筐体１３１の嵌合部１３２に嵌合した状態で、表示部１１１の背面を構成している。
【００４６】
上記薄型電池部１２１は、図２に示すように、略矩形の支持板１２３と、その支持板１２３上の扁平な４個の薄型電池１２２，１２２，１２２，１２２と、上記支持板１２３上の細長い矩形の制御基板１２４と、樹脂製の保護フィルム１２５からなる。上記薄型電池部１２１は、液晶ディスプレイパネル１３０および本体部１１２に電力を供給する。上記支持板１２３は、薄くても強度の高い材質、例えば、マグネシウム、アルミニウム、チタン、または、少なくともそれらの中の１つを含む合金、あるいは、エンジニアリング・プラスチック等からなって、図１に示す表示部１１１の背面の大部分を構成している。つまり、上記支持板１２３は表示部１１１のリアキャビネットとしても機能する。上記薄型電池１２２は、例えば、リチウムポリマー電池で、厚さが２ｍｍから６ｍｍで、平坦部の面積が１０ｃｍ２以上である。上記制御基板１２４は、例えば、フレキシブルプリント基板であって、制御用のＩＣ（集積回路）１２９と電源ライン１２８を有する。
【００４７】
上記薄型電池部１２１は、図２に示すように、上記薄くて強度の高い支持板１２３に、質量の大きい４個の薄型電池１２２，１２２，１２２，１２２の平坦部を密着させて固定すると共に、細長い矩形の制御基板１２４を密着させて固定している。したがって、上記薄型電池１２２は、質量が大きくて比較的強度が弱くても、強度の強い支持板１２３に密着して固定されているため、曲げ変形などが生じなくて、上記電源ラインと、薄型電池１２２のプラス端子１２２ａおよびマイナス端子１２２ｂとの電気接続の信頼性を損ねる恐れがない。一方、上記支持板１２３には、薄型電池１２２の平坦部および制御基板１２４の裏面が密着して固定されているので、上記支持板１２３は、極薄くても、薄型電池１２２および制御基板１２４でバックアップされて補強されていて、上記支持板１２３、つまり、表示部１１１の背面は、撓んだり、へこんだりし難い。
【００４８】
上記支持板１２３と薄型電池１２２の固定には、例えば、図示しない両面粘着テープや押圧板ばね等を使用できる。こうすることによって、上記支持板１２３から薄型電池１２２を取り外し可能に固定することができる。もっとも、上記支持板１２３に薄型電池１２２を接着剤等で取り外し不可に固定することも可能である。
【００４９】
また、上記支持板１２３、薄型電池１２４および制御基板１２４は、夫々、肉厚が薄いため、上記薄型電池部１２１の厚さが薄くなっている。したがって、上記薄型電池部１２１は、表示部１１１全体の薄型化に大きく寄与する。
【００５０】
一方、上記支持板１２３の外縁よりも少し内側の矩形領域の中央に制御基板１２４を配置し、かつ、上記制御基板１２４の各片側に２個の薄型電池１２２，１２２をその外縁が上記矩形領域の縁に沿うように配置して、上記支持基板１２３と薄型電池１２２とで、薄型電池部１２１の縁部を段状にしている。この薄型電池部１２１の段状の縁部は、図１に示す筐体１３１の段状の嵌合部１３２に密に嵌合する形状になっていて、薄型電池部１３２の逆方向の挿入を防止して、筐体１３１側と薄型電池部１３２側の図示しない接点同士の電気接続が確実にできるようになっている。
【００５１】
上記薄型電池部１２１の段状の縁部の近傍、かつ、支持板１２３の部分には、デイテント機構の一部をなす半円または半球形状の切欠き１２７を設ける一方、上記筐体１３１の嵌合部１３２には、図示しないが、上記デイテント機構の他の一部であるボールおよびこのボールを付勢するスプリングを設けている。そして、上記薄型電池部１２１を、筐体１３１の嵌合部１３２に沿ってスライドさせて、筐体１３１に装着すると、上記切欠き１２７に、上記スプリングで付勢されたボールが嵌入する。そして、このボールと切欠き１２７との係合によって、薄型電池部１２１が筐体１３１に係止されて、薄型電池部１２１の筐体１３１からの脱落が防止される。
【００５２】
一方、上記４個の薄型電池１２２のプラス端子１２２ａとマイナス端子１２２ｂは、制御基板１２４に向けて突出して、上記制御基板１２４上の電源ライン（図示せず）に直列または並列に電気接続している。このように、上記制御基板１２４の各片側に配置された２つの薄型電池１２２のプラス端子１２２ａとマイナス端子１２２ｂとは、制御基板１２４の上に突出して、かつ、電源ラインに接続されているので、上記電源ラインの長さを短くでき、かつ、薄型電池１２２と制御基板１２４とを、支持板１２３にコンパクトに実装できる。
【００５３】
また、上記薄型電池１２２，１２２，１２２，１２２と制御基板１２４との上の全面を、樹脂製の保護フィルム１２５で覆って、薄型電池１２２および制御基板１２４を水分やほこり等から保護している。もっとも、この保護フィルム１２５は、省略することも可能である。なお、図２では、説明の便宜上、保護フィルム１２５の一部を破断した状態を示している。
【００５４】
上記支持板１２３と、薄型電池１２２と、制御基板１２４と、保護フィルム１２５とからなる薄型電池部１２１は、薄型電池アッセンブリー１２１として、それ自体でも取り引きの対象となるものである。そして、この薄型電池アッセンブリー１２１は、表面が支持板１２３と樹脂フィルム１２５で覆われて見栄えが良く、かつ、質量の大きい薄型電池１２２のために重量感があるから、商品価値が高い。
【００５５】
一方、上記筐体１３１は、図３に示すように、フレーム構造体であって、矩形の外枠１３４と、この外枠１３４の上下、左右の辺をつなぐ＋形状の梁部１３５とからなる。このように、上記外枠１３４の他に、＋形状の梁部１３５を設けることによって、十分な強度を確保している。すなわち、密度が高くて重量の大きい薄型電池１２２を有する薄型電池部１２１を取り付けた状態で筐体１３１を開閉して筐体１３１に非常に大きな力がかかったとき、あるいは、リアーキャビネットを兼ねる着脱可能な薄型電池部１２１を筐体１３１から取り外したときでも、上記筐体１３１は梁部１３５で補強されているので、変形しないような十分な強度を有する。また、上記筐体１３１は、外枠１３４と梁部１３５との間に空洞部１３６を形成して、軽量化していて、ひいては、表示部１１１を軽量化している。なお、上記＋形状の梁部１３５に代えて、図示しないが、「−」型、「Ｉ」型、「Ｈ」型、「エ」型等の梁部を用いてもよい。また、上記梁部１３５に代えて、「Ｘ」型等の筋交い、すなわち、斜めステ−を用いてもよい。
【００５６】
また、上記筐体１３１の前面側には、上記外枠１３４と梁部１３５によって段部１３７を形成し、この段部１３７に、矢印Ｂに示す方向から、図１に示す液晶ディスプレイパネル１３０を埋め込んで取り付けるようにしている。一方、上記筐体１３１の背面側においては、上記外枠１３４の上辺部および左右の辺部に上端から下方に延びる段状の凹部、つまり、嵌合部１３２を設け、この嵌合部１３２に、矢印Ａに示す方向から、図１、２に示す薄型電池部１２１の縁部を着脱可能に嵌合するようにしている。上記嵌合部１３２は、薄型電池部１２１の支持板１２３の縁部が嵌合する支持板嵌合部１３２ａと、薄型電池１２２および制御基板１２４を収容する薄型電池収容部１３２ｂとからなる。
【００５７】
上記フレーム構造体である筐体１３１の材質は、例えば、軽量で強度のあるアルミニウム、マグネシウムやチタンの金属、あるいは、それらの合金等である。この金属製の筐体１３１に、図２に示す薄型電池部１２１の制御基板１２４上の回路のグランドラインを接続して、この筐体１３１に電磁シールドの役目をさせて、電磁波ノイズの対策をしている。
【００５８】
一方、図２に示す薄型電池部１２１の薄型電池１２２は、充放電すると、熱を発生する。また、図１に示す液晶ディスプレイパネル１３０が、図示しない蛍光管で構成されるバックライトを備える透過型液晶ディスプレイパネルの場合、蛍光管が発熱する。しかし、上記筐体１３１が金属でできているため、表示部１１１における熱の分散、放出効果が大きくて、表示部１１１全体の温度上昇が少なく、かつ、均一な温度分布になる。このように、表示部１１１は均一な温度分布になって、局部的に温度が高い部分がないため、薄型電池１２２の容量が悪影響を受けたり、液晶ディスプレイパネル１３０の表示品位が悪くなったりすることがない。
【００５９】
なお、上記筐体１３１には、図３では示していないが、図１に示すヒンジ１３３を結合している。
【００６０】
なお、上記携帯型情報機器１００においては、上記表示部１１１は、筐体１３１に液晶ディスプレイパネル１３０を固定すると共に、薄型電池部１３２を着脱可能に取り付けてなるが、上記筐体１３１に図示しない化粧パネルを取り付けても良い。
【００６１】
上記構成の携帯型情報機器において、今、薄型電池１２２の寿命が尽きたとする。このとき、図１、２に示す薄型電池部１２１が筐体１３１に着脱可能に取り付けられているから、この薄型電池部１２１を筐体１３１から取り外して、簡単に、薄型電池１２２を交換することができる。より詳しくは、上記薄型電池１２２が支持板１２３に両面粘着テープや押圧板ばね等で着脱可能に取り付けられている場合は、上記薄型電池部１２１を筐体１３１から取り外した後、さらに、上記支持板１２３から保護フィルム１２５と寿命の尽きた薄型電池１２２を取り外して、新しい薄型電池１２２および保護フィルム１２５を支持板１２３に取り付けて、新しい薄型電池部１２１の縁部を嵌合部１３２に嵌め込む。そうすると、上記薄型電池部１２１の切欠き１２３に、筐体１３１側の図示しないボールが嵌入して、デイテント機構によって、筐体１３１に薄型電池部１２１が確実に固定される。こうすることによって、寿命の尽きた薄型電池１２２および保護フィルム１２５のみを簡単に交換して、支持板１２３を再利用することができる。一方、上記薄型電池１２２が支持板１２３に接着剤等で着脱不可に固定されている場合は、寿命の尽きた薄型電池１２２を有する薄型電池部１２１を筐体１３１から取り外して、新しい薄型電池１２２を有する新しい薄型電池部１２１を、筐体１３１の嵌合部１３２に嵌め込んで、支持板１２３ごと薄型電池１２２を交換する。こうすることによって、薄型電池１２２を極めて簡単に交換することができる。
【００６２】
上記薄型電池部１２１を筐体１３１に嵌合する際、その薄型電池部１２１の段状に形成された縁部が、筐体１３１の段状の嵌合部１３２に、表示部１１１の背面を構成する支持板１２３に沿う方向、または、背面と直交する方向から嵌合するから、薄型電池部１２１は逆方向の挿入が防止されて、薄型電池部１２１側と筐体１３１側との図示しない接点の接続を確実にすることができる。
【００６３】
一方、上記薄型電池部１２１は、表示部１１１のリアーキャビネットの役目をするが、この薄型電池部１２１は、薄くて強度の高い支持板１２３に薄型電池１２２および制御基板１２４を密着させてバックアップしているので、充分な強度を有し、ひいては、表示部１１１の強度を確保する。より詳しく言うと、強度の高い支持板１２３に、質量の大きい薄型電池１２２の平坦部および制御基板１２４の裏面が密着して固定されているから、支持板１２３は、極薄くても、薄型電池１２２および制御基板１２４でバックアップされて補強されて、上記支持板１２３、つまり、表示部１１１の背面が、撓んだり、へこんだりし難い。また、薄型電池１２２の平坦部が、強度の高い支持板１２３に密着して固定されているため、薄型電池１２２は、比較的強度が弱くても、曲げ変形などが生じなくて、電源ラインと、薄型電池１２２のプラス端子１２２ａおよびマイナス端子１２２ｂとの電気接続の信頼性を損ねる恐れがない。
【００６４】
さらに、上記筐体１３１は、図３に示すように、フレーム構造体であって、矩形の外枠１３４の上下、左右の辺を＋形状の梁部１３５でつないでいるから、密度が高くて重量の大きい薄型電池１２２を有する薄型電池部１２１を取り付けた状態で筐体１３１を開閉してその筐体１３１に非常に大きな力がかかったときでも、あるいは、リアーキャビネットを兼ねる着脱可能な薄型電池部１２１を筐体１３１から取り外したときでも、上記筐体１３１は変形しないような十分な強度を有する。したがって、上記表示部１１１は、質量の高い薄型電池１２２が装着された状態で開閉されても、また、薄型電池部１２１が筐体１３１から着脱可能であっても、十分な強度を有するのである。
【００６５】
さらにまた、上記支持板１２３、薄型電池１２４および制御基板１２４は、夫々、肉厚が薄いため、薄型電池部１２１の厚さが薄く、したがって、表示部１１１全体の厚さが薄くなっている。
【００６６】
したがって、この実施の形態の携帯型情報機器は、薄い表示部１１１の強度を損なうことなく、薄型電池１２２を簡単に交換できる。
【００６７】
図４はこの発明の他の実施の形態の携帯型電子機器としての携帯型情報機器を示す斜視図である。図４は、表示部２１１を半分閉じた状態を示している。図５は、上記携帯型情報機器の薄型電池部２２１の斜視図である。図４において、表示部２１１の筐体２３１の嵌合部２３２、その嵌合部２３２に嵌合する薄型電池部２２１の外縁部、支持板２２３の形状および残量インジケータ２５０のみが、図１、２および３に示す実施の形態の構成部と異なり、他は図１、２および３に示す実施の形態の構成部と全く同じである。したがって、以下においては、図１、２および３に示す実施の形態と異なる点のみを詳しく説明し、図１、２および３に示す実施の形態の構成部と同一構成部については、同一参照番号を付して説明を省略する。
【００６８】
図４に示すように、上記表示部２１１の筐体２３１の背面側には、背面側に開口した部分２３２ａと、その部分２３２ａに連なるガイド溝２３２ｂとからなる嵌合部２３２を設けている。この嵌合部２３２のガイド溝２３２ｂに、薄型電池部２２１の支持板２２３の一対の対向する段状の外縁部の先端を嵌合して、筐体２３１の嵌合部２３２に薄型電池部２２１を着脱可能に取り付けて、薄型電池１２２の交換を容易にしている。上記薄型電池部２２１はガイド溝２３２ｂに沿って１方向にしかスライドしないので、薄型電池部２２１を簡単かつ確実に所望の位置に取り付けることができ、かつ、脱落を防止できる。また、図示しない端子間の電気接続を確実に行うことができる。
【００６９】
上記支持板２２３には、図５に示すように、前面側に凹所を有し、この凹所の底面に、図２に示す配置と全く同様にして、薄型電池１２２の平坦部および制御基板１２４の底面を密着して取り付けている。
【００７０】
また、上記表示部２１１の背面、つまり、支持板２２３の背面には、薄型電池部２２１の薄型電池の残量を示す残量インジケータ２５０を設けている。この残量インジケータ５０としては、シート発光体、ＬＥＤ（発光ダイオード）チップ等を用いるが望ましい。例えば、上記ＬＥＤチップは、制御基板上に直接ボンディングすることができる。なお、上記残量インジケータ２５０は、本体部１１２に別の電池を備えている場合、その電池と薄型電池部２１の薄型電池とを合わせた容量の電池残量を指示するようにしてもよい。
【００７１】
図６は、この発明の他の実施の形態の携帯型電子機器の１例としてのパーソナルＤＶＤ装置３００を示している。
【００７２】
このパーソナルＤＶＤ装置３００は、操作部、記憶部および制御部を有する本体部３１２に表示部３１１を開閉可能に取り付けている。この表示部３１１は、筐体３３１の前面側に液晶ディスプレイパネル１３０を取り付け、背面側に薄型電池部３２１を着脱可能に取り付けて、図示しない薄型電池の交換を容易にしている。
【００７３】
上記表示部３１１は、筐体３３１に薄型電池部３２１を取り付ける構造のみが、図４に示す実施の形態の表示部２１１と異なる。したがって、この異なる点のみを以下に説明する。上記薄型電池部３２１の支持板３２３の外縁部は段状になっていなくて、この支持板３２３の外縁部には、図示しない縦方向の蟻を設け、筐体３３１に上記蟻が嵌合する蟻溝を設けて、蟻結合によって、上記筐体３３１に上記薄型電池部３２１を着脱可能に取り付けている。
【００７４】
図７は、この発明の他の実施の形態の携帯型電子機器の１例としてのシステム・インテグレイティッド・デバイス４００を示している。
【００７５】
上記システム・インテグレイティッド・デバイス４００は、主に表示機能と情報処理機能を有するシステム・インテグレイティッド・ディスプレイ４３０と、そのシステム・インテグレイティッド・ディスプレイ４３０を収容する筐体４３１と、上記システム・インテグレイティッド・ディスプレイ４３０に電力を供給する薄型電池部４２１とからなる。
【００７６】
上記システム・インテグレイティッド・ディスプレイ４３０は、表示画面と略同じ面積を有する平面ディスプレイ装置であり、かつ、例えばガラス基板の上に、マイコン等のシステムＩＣ（集積回路）を搭載することにより情報処理機能を有する装置である。
【００７７】
上記システム・インテグレイティッド・ディスプレイ４３０は、例えば、従来、ＴＦＴ（薄膜トランジスタ）液晶ディスプレイ装置に使われていたアモルファス・シリコンＴＦＴを、レーザアニーリングすることにより、多結晶化を図って、ＴＦＴの高速化を実現して、制御回路を含めた周辺回路もガラス基板上に形成している。あるいは、上記システム・インテグレイティッド・ディスプレイ４３０は、平面ディスプレイ装置を構成するガラス基板上に制御ＩＣを含むシリコンチップを直接実装（ＣＯＧ：チップ・オン・ガラス）している。
【００７８】
上記システム・インテグレイティッド・ディスプレイ４３０を、筐体すなわちフレーム４３１に収容して保護し、上記システム・インテグレイティッド・デバイス４００に、携帯型電子機器としての強度を確保している。
【００７９】
上記筐体４３１は、図４の筐体２３１の嵌合部２３２と同じ形態の嵌合部４３２を有し、この嵌合部４３２に図４の薄型電池部２２１と同じ形態の薄型電池部４２１を着脱可能に嵌合している。
【００８０】
このように、上記薄型電池部４２１は、筐体４３１に着脱可能に取り付けているから、薄型電池の交換が容易にできる。
また、上記薄型電池部４２１は、上記システム・インテグレイティッド・ディスプレイ４３０と略同じ面積を有するので、大面積あるいは多くの薄型電池を搭載できて、大きな電気容量を有する。したがって、上記システム・インテグレイティッド・デバイス４００は、電池交換なしで、長期間使用できる。
【００８１】
上記システム・インテグレイティッド・デバイス４００は、カード型、あるいはシート型の携帯型情報機器あるいは携帯型ＡＶ機器である。
【００８２】
図８はこの発明の他の実施の形態の携帯型電子機器を示す斜視図である。この携帯型電子機器５００は、表示部５１１と本体部５１２とが分離されて別体になっていて、上記表示部５１１と本体部５１２に夫々無線送受信部５８１、５８２を設けた点のみが図１、２および３に示す実施の形態の携帯型電子機器と異なる。したがって、以下においては、図１、２および３に示す実施の形態と異なる点のみを詳しく説明し、図１、２および３に示す実施の形態の構成部と同一構成部については、同一参照番号を付して説明を省略する。
【００８３】
上記本体部５１２の無線送受信部５８２から、表示部５１１の無線送受信部５８１に、液晶ディスプレイパネル１３０に画像を表示させる表示信号を無線送信する一方、上記表示部５１１の無線送受信部５８１から、本体部５１２の無線送受信部５８２に、本体部５１２の動作を指示する制御信号を無線送信する。
【００８４】
上記無線送信の媒体としては、ブルートゥースで代表される電波、赤外線、あるいは超音波等を使用する。
【００８５】
上記構成によれば、表示部５１１および本体部５１２は、無線送受信部５８１，５８２を有し、かつ、表示部５１１は薄型電池部１２１から電力の供給を受けるから、表示部５１１を本体部５１２から切り離して、本体部５１２から離れたところで使用することができる。
【００８６】
また、上記表示部５１１の無線送受信部５８１は、図３で詳しく説明した金属製の筐体つまりフレーム構造体１３１をアンテナあるいはその一部として使用できる。
【００８７】
上記本体部５１２は、図１に示すようなノートパソコン等の携帯型情報機器の本体部、あるいは、図６に示すようなパーソナルＤＶＤ装置の本体部に限らず、例えば、セットトップボックス、あるいは、ゲーム機であってもよい。
【００８８】
上記実施の形態では、表示部５１１および本体部５１２に、夫々、無線送受信部５８１，５８２を設けたが、表示部に無線受信部を設け、本体部に無線送信部を設けて、本体部から表示部にのみ信号を無線送信するようにしてもよい。
【００８９】
【発明の効果】
以上より明らかなように、この発明の携帯型電子機器によれば、電池によって駆動される携帯型電子機器において、ディスプレイパネルを有し、上記電池が扁平な薄型電池から成り、上記ディスプレイパネルの背面に位置し、着脱可能であるので、上記薄型電池を上記ディスプレイパネルの背面から取り外して、薄型電池を容易に交換することができ、かつ、上記薄型電池が上記ディスプレイパネルの背面に位置して、上記薄型電池が補強材の役目をするので、上記ディスプレイパネルの強度を高くすることができる。
また、１実施形態では、フラットディスプレイパネルに電力を供給する扁平な薄型電池を有する薄型電池部を、表示部の筐体に、上記フラットディスプレイパネルの背面側に位置するように、着脱可能に取り付けているので、上記薄型電池部と筐体が相俟って表示部の強度を高め、かつ、薄型電池を簡単に交換することができる。
【図面の簡単な説明】
【図１】  この発明の実施の形態の携帯型情報機器の斜視図である。
【図２】  上記実施の形態の携帯型情報機器の薄型電池部の斜視図である。
【図３】  上記実施の形態の携帯型情報機器の筐体の斜視図である。
【図４】  この発明の他の実施の形態の携帯型情報機器の斜視図である。
【図５】  上記実施の形態の携帯型情報機器の薄型電池部の斜視図である。
【図６】  この発明の他の実施の形態のパーソナルＤＶＤ装置の斜視図である。
【図７】  この発明の他の実施の形態のシステム・インテグレイティッド・デバイスの斜視図である。
【図８】  この発明の他の実施の形態の携帯型電子機器の斜視図である。
【符号の説明】
１１１，２１１，３１１，５１１    表示部
１１２，３１２，５１２    本体部
１２１，２２１，３２１，４２１    薄型電池部
１２２    薄型電池
１２３，２２３  支持板
１２４    制御基板
１２５    保護フィルム
１２７    切欠き
１３０    液晶ディスプレイパネル
１３１，２３１，３３１，４３１    筐体
１３２，２３２    嵌合部
１３２ａ    支持板嵌合部
１３２ｂ    薄型電池収容部
１３５    梁部
２３２ｂ    ガイド溝
５８１，５８２    無線送受信部